(57)【要約】  【課題】  上下のアース端子を周方向に回転させることなく積み重ねられるようにする。上下のアース端子の電線圧着部の開き角度を従来より小さくする。  【解決手段】  環状の接続板部２の周囲に、電線圧着部３、嵌合部４、ロック部５が、周方向に間隔をおいて突設されている。嵌合部４には、弾性突起部４Ａと開口部４Ｂが周方向に隣り合って形成されている。ロック部５には、係止片５Ａと浮き上がり防止片５Ｂが周方向に隣り合って形成されている。複数のアース端子１を積み重ねると、下側のアース端子の弾性突起部４Ａが上側のアース端子の開口部４Ｂに嵌合して、上下のアース端子が周方向にずれて電線圧着部３が重ならないように位置決めされ、上側のアース端子の係止片５Ａが下側のアース端子の浮き上がり防止片５Ｂの先端部の下に入って上側のアース端子の浮き上がりが防止される。電線圧着部３の付け根部分が折曲げられて電線圧着部３が横向きになっている。【選択図】    図５
2005353331.tif 000002
【特許請求の範囲】
【請求項１】
環状の接続板部の周囲に、電線圧着部と、嵌合部とが、周方向に適当な間隔をおいて突設されており、
前記嵌合部には、接続板部の上面と同じレベルから上方に突出する厚さ方向に弾性のある弾性突起部と、その弾性突起部が弛みなく嵌合できる大きさの開口部とが、周方向に隣り合うように形成されており、
これにより複数のアース端子を積み重ねたときに、下側のアース端子の弾性突起部が上側のアース端子の開口部に嵌合して、上下のアース端子が周方向にずれて電線圧着部が重ならないように位置決めされる、
ことを特徴とする積み重ね型アース端子。
【請求項２】
環状の接続板部の周囲に、電線圧着部と、嵌合部と、ロック部とが、周方向に適当な間隔をおいて突設されており、
前記嵌合部には、接続板部の上面と同じレベルから上方に突出する厚さ方向に弾性のある弾性突起部と、その弾性突起部が弛みなく嵌合できる大きさの開口部とが、周方向に隣り合うように形成されており、
前記ロック部には、接続板部から径方向に突出する係止片と、接続板部から径方向に突出して先端部が接続板部側へ折り返された浮き上がり防止片とが、周方向に隣り合うように形成されており、
前記弾性突起部と開口部の接続板部中心からみた開き角と、前記係止片と浮き上がり防止片の接続板部中心からみた開き角は同じに設定されており、
これにより複数のアース端子を積み重ねたときに、下側のアース端子の弾性突起部が上側のアース端子の開口部に嵌合して、上下のアース端子が周方向にずれて電線圧着部が重ならないように位置決めされ、かつ上側のアース端子の係止片が下側のアース端子の浮き上がり防止片の先端部の下に入って上側のアース端子の浮き上がりが防止されるようになっている、
ことを特徴とする積み重ね型アース端子。
【請求項３】
請求項１又は２記載の積み重ね型アース端子であって、電線圧着部の付け根の部分が、接続板部から電線圧着部が伸び出す方向に折り曲げ線ができるように折り曲げられて、電線圧着部が横向きになっていることを特徴とする積み重ね型アース端子。
【発明の詳細な説明】
【技術分野】
【０００１】
本発明は、積み重ねて使用されるアース端子に関するものである。
【背景技術】
【０００２】
例えば自動車の車内配線では、アース用電線の端部に取り付けられたアース端子を車体のアース端子取り付け部に固定する場合には、複数のアース端子を積み重ねて一括してボルト締めにより固定することが行われている。アース端子を積み重ねるときは、上下に隣り合うアース端子の電線圧着部が互いに接触しないようにするため、１層毎に周方向に位置をずらして積み重ねるようにしている（特許文献２参照）。
【０００３】
【特許文献１】特開２００２−２６０７５４号公報
【特許文献２】特開平７−２６３０５９号公報
【発明の開示】
【発明が解決しようとする課題】
【０００４】
従来の積み重ね型アース端子は、下側のアース端子の接続板部の上に上側のアース端子の接続板部を重ねた後、双方のボルト穴を中心として上下のアース端子を相対的に回転させることで、上側アース端子が下側のアース端子から浮き上がらないように結合する構成となっている。
【０００５】
しかしながら、上下のアース端子を周方向に回転させて結合する構造では、周方向にガタツキが生じやすく、積層枚数が多くなるにつれ、結合作業が困難になる。このため結合用の治具を必要とするなどの問題がある。
【０００６】
また従来の積み重ね型アース端子は、上下のアース端子の電線圧着部の開き角度が大きいため、積み重ねられたアース端子の設置スペースとその周りの配線スペースが大きくなるという問題もある。
【０００７】
本発明の目的は、上下のアース端子を周方向に回転させることなくアース端子を積み重ねることのできる積み重ね型アース端子を提供することにある。
【０００８】
本発明の他の目的は、上下のアース端子の電線圧着部の開き角度を従来よりも小さくできる積み重ね型アース端子を提供することにある。
【課題を解決するための手段】
【０００９】
本発明に係る積み重ね型アース端子は、基本的には、
環状の接続板部の周囲に、電線圧着部と、嵌合部とが、周方向に適当な間隔をおいて突設されており、
前記嵌合部には、接続板部の上面と同じレベルから上方に突出する厚さ方向に弾性のある弾性突起部と、その弾性突起部が弛みなく嵌合できる大きさの開口部とが、周方向に隣り合うように形成されており、
これにより複数のアース端子を積み重ねたときに、下側のアース端子の弾性突起部が上側のアース端子の開口部に嵌合して、上下のアース端子が周方向にずれて電線圧着部が重ならないように位置決めされる、
ことを特徴とするものである。
【００１０】
本発明に係る積み重ね型アース端子は、好ましくは、
環状の接続板部の周囲に、電線圧着部と、嵌合部と、ロック部とが、周方向に適当な間隔をおいて突設されており、
前記嵌合部には、接続板部の上面と同じレベルから上方に突出する厚さ方向に弾性のある弾性突起部と、その弾性突起部が弛みなく嵌合できる大きさの開口部とが、周方向に隣り合うように形成されており、
前記ロック部には、接続板部から径方向に突出する係止片と、接続板部から径方向に突出して先端部が接続板部側へ折り返された浮き上がり防止片とが、周方向に隣り合うように形成されており、
前記弾性突起部と開口部の接続板部中心からみた開き角と、前記係止片と浮き上がり防止片の接続板部中心からみた開き角は同じに設定されており、
これにより複数のアース端子を積み重ねたときに、下側のアース端子の弾性突起部が上側のアース端子の開口部に嵌合して、上下のアース端子が周方向にずれて電線圧着部が重ならないように位置決めされ、かつ上側のアース端子の係止片が下側のアース端子の浮き上がり防止片の先端部の下に入って上側のアース端子の浮き上がりが防止されるようになっている、
ことを特徴とするものである。
【００１１】
本発明に係る積み重ね型アース端子は、電線圧着部の接続板部への付け根の部分が、接続板部から電線圧着部が伸び出す方向に折り曲げ線ができるように折り曲げられて、電線圧着部が横向きになっていることが、より好ましい。
【発明の効果】
【００１２】
本発明によれば、アース端子を積み重ねるときは、下側のアース端子の弾性突起部と上側のアース端子の開口部とを嵌合させるだけで、上下のアース端子を所定の角度（弾性突起部と開口部の開き角度）だけ周方向にずらして結合することができる。つまり上下のアース端子を周方向に回転させることなく結合することができる。またアース端子の弾性突起部と開口部は周方向に隣り合うように設けられており、両者の開き角は十分小さく設定することが可能であるから、アース端子を積み重ねたときに上下のアース端子の電線圧着部の開き角を小さくできる。
【００１３】
またアース端子に、弾性突起部と嵌合部とからなる嵌合部のほかに、係止片と浮き上がり防止片とからなるロック部を設けることにより、上側のアース端子の浮き上がりを防止できるので、上下のアース端子の結合状態をより安定に保つことができる。
【００１４】
さらに、電線圧着部の付け根の部分を、電線圧着部が横向きになるように折り曲げると、電線圧着部の周方向寸法を小さくでき、上下のアース端子の電線圧着部の開き角をさらに小さくすることができるので、積み重ねられたアース端子の設置スペース及びその周りの配線スペースをさらに小さくできる。
【発明を実施するための最良の形態】
【００１５】
図１は本発明の一実施形態を示す。この積み重ね型アース端子１は、環状の接続板部２の周囲に、電線圧着部３と、嵌合部４と、ロック部５とを、周方向に適当な間隔をおいて突設したものである。接続板部２の中心の穴６はボルト穴である
【００１６】
嵌合部４は、接続板部２の上面と同じレベルから上方に突出する厚さ方向に弾性のある弾性突起部４Ａと、その弾性突起部４Ａが弛みなく嵌合できる大きさの開口部４Ｂとを、周方向に隣り合うように形成したものである。弾性突起部４Ａは、接続板部２の上面と同じレベルから立ち上がる金属片を中間で下方へＵターンさせることで、厚さ方向の弾性を付与している。
【００１７】
またロック部５は、接続板部２から径方向に突出する係止片５Ａと、接続板部２から径方向に突出して先端部が接続板部２側へ折り返された浮き上がり防止片５Ｂとを、周方向に隣り合うように形成したものである。
【００１８】
接続板部２の中心からみた、弾性突起部４Ａと開口部４Ｂの開き角αと、係止片５Ａと浮き上がり防止片５Ｂの開き角βは同じ角度に設定されている。
【００１９】
また電線圧着部３は、その付け根の部分が、接続板部２から電線圧着部３が伸び出す方向に折り曲げ線Ｌができるように直角に折り曲げられて、横向きになっている。
【００２０】
図２及び図３は図１のように構成されたアース端子１を２つ積み重ねた状態を示す。すなわち、アース端子１を積み重ねるときは、下側のアース端子１の弾性突起部４Ａが上側のアース端子１の開口部４Ｂに嵌合し、かつ上側のアース端子１の係止片５Ａが下側のアース端子１の浮き上がり防止片５Ｂの先端部の下に入るように積み重ねる。すると、弾性突起部４Ａと開口部４Ｂの嵌合により、上下のアース端子１、１が周方向にずれて電線圧着部３、３が重ならないように位置決めされ、かつ係止片５Ａが浮き上がり防止片５Ｂの先端部に下に入るため、上側のアース端子１が下側のアース端子１から浮き上がるのを防止できる。図１でα＝βとしたのは、下側のアース端子１の弾性突起部４Ａと上側のアース端子１の開口部４Ｂの位置を一致させたときに、上側のアース端子１の係止片５Ａと下側のアース端子１の浮き上がり防止片５Ｂの位置が一致するようにするためである。
【００２１】
図４は図１のように構成されたアース端子１を多数積み重ねた状態を示す。各アース端子１は、電線圧着部３の付け根の部分で、電線圧着部３が横向きになるように折り曲げられているため、電線圧着部３の周方向寸法が小さくなっている。このため上下に隣り合うアース端子１の電線圧着部３の開き角を十分小さくできるので、積み重ねられたアース端子の設置スペース及びその周りの配線スペースを十分小さくすることができる。なおアース端子１は、電線圧着部３に予めアース用の電線（図示せず）を圧着した状態で積み重ねられる。
【００２２】
図５は図４のように積み重ねられたアース端子１のボルト穴６にボルト７を挿通した状態を示す。多数のアース端子１はこのボルト７によって車体（図示せず）の所定箇所に一括して固定される。
【００２３】
以上の実施形態では、接続板部２の周囲にロック部５を形成した場合を説明したが、ロック部は省略することも可能である。
【図面の簡単な説明】
【００２４】
【図１】本発明に係るアース端子の一実施形態を示す斜視図。
【図２】図１のアース端子を２つ積み重ねた状態を示す斜視図。
【図３】図１のアース端子を２つ積み重ねたときの、（Ａ）は弾性突起部と開口部との嵌合状態を示す斜視図、（Ｂ）は係止片と浮き上がり防止片の係合状態を示す斜視図。
【図４】図１のアース端子を多数積み重ねた状態を示す、（Ａ）は平面図、（Ｂ）は正面図。
【図５】図４のように積み重ねられたアース端子にボルトを挿通した状態を示す斜視図。
【符号の説明】
【００２５】
１：アース端子
２：接続板部
３：電線圧着部
４：嵌合部
４Ａ：弾性突起部
４Ｂ：開口部
５：ロック部
５Ａ：係止片
５Ｂ：浮き上がり防止片
６：ボルト穴
７：ボルト
【図１】
2005353331.tif 000003
【図２】
2005353331.tif 000004
【図３】
2005353331.tif 000005
【図４】
2005353331.tif 000006
【図５】
2005353331.tif 000007